(57)【要約】      （修正有）【課題】気密性能を有する欄間パネルを、着脱時の作業を容易にし、欄間パネルに負荷が作用しても脱落を防止する欄間パネルを提供する。【解決手段】開口枠２、３に係止部材２０を設け、係止部材２０には欄間パネル１２を積載する積載面に摺動抵抗高い軟質材を積層して、該積載面に欄間パネル１２を積載するとともに開口枠にカムラッチ１６乃至１７で押付け固定し、欄間パネル１２の下辺には開き戸から突出するロッドを受けるロッド受１８、１９を設けるとともに開き戸に当接するパッキン２３を設ける。【選択図】図２
2014025256.tif 000002
【特許請求の範囲】
【請求項１】
開き戸と欄間パネルおよび開口枠で構成する開口において、
開口枠に開き戸および欄間パネルの縁部に当接するパッキンを設けるとともに欄間パネルを支える面には摺動抵抗の大きな軟質材を配設した係止金具を設け、該開口枠に嵌められる欄間パネルの左右上辺にカムラッチを設け、下辺に開き戸の上辺縁部と当接するパッキンを設けるとともに開き戸から突出するロッドを受けるロッド受を設けたことを特徴とする欄間パネル。
【請求項２】
請求項１記載の欄間パネルにおいて、
左右辺の下方側面に係止部材を設け、開口枠に係止受部材を設けるとともに係止部材と係止受部材との当接面が係止受部材を中心をとする円弧とすることを特徴とする着脱式欄間パネル。
【発明の詳細な説明】
【技術分野】
【０００１】
本発明は、開き戸の上方に設ける着脱式の欄間パネルに係り、特にクリーンルーム等で利用されるものとして気密性能を必要とする開き戸において、必要に応じて開口を可変することのできるものに関する。
又、欄間パネルの着脱作業を容易にするとともに、開口内を通過する通路として使用される場所として、衝突時にも着脱式欄間パネルの脱落防止を図ることができるように工夫したものに関する。
【背景技術】
【０００２】
通常に欄間パネルを設ける場合には下辺にも枠を設けて、はめ込む矩形空間を構成する。該枠は、縦枠に固定されており欄間パネルを外しても着脱できる構成ではない（特許文献１参照）。
【０００３】
また、欄間を交換できるように柱状部材に切欠部を設けてここに欄間を係合したうえ柱状部材に設けた爪により欄間の端部を押さえて固定し長押を不要としたものがある（特許文献２参照）。
【０００４】
さらに、欄間パネルに支持アームと、ガイド溝などから構成される欄間パネル用金具からなる開閉機構を設けて欄間パネルを略４５°に傾斜させて開閉可能に取付けられているものがある。（特許文献３参照）。
【先行技術文献】
【特許文献】
【０００５】
【特許文献１】特開２０００−１４５１８４号公報
【特許文献２】実開平１−１５００８４号公報
【特許文献３】特開２０１２−０３６５８１号公報
【発明の概要】
【発明が解決しようとする課題】
【０００６】
上記従来の構成によると、次のような問題があった。
先ず、従来の欄間パネルの構成においては長押等の枠を設けて嵌め込まれており、欄間パネルを外しても開口として構成されるものではない。
【０００７】
しかし通常時の人の出入りの他に大型物を搬入する場合には通過できない場合がある。これに対して最初から大型の開き戸を設けておくことも考えられるが、近年省エネ対策において、人の出入りに際しても必要以上に大きな開口を設けることは空調を稼動している場所においては、エネルギー損失となり省エネの効果として好まれるものではない。
【０００８】
また、長押等の枠が無い構成であったとしてもパッキン等の気密材が無いため気密性能において劣り塵の侵入などを防ぐことができないとともに、係止構造においても爪で係止される反対方向から外力が加えられた場合には爪の破損等から欄間パネルの脱落が懸念される。
【０００９】
さらに、支持アームなどの開閉機構を設けても開放状態が傾斜した状態であるため、全体開口を大きく確保することができない。
【００１０】
本願発明はこのような点に基づいてなされたもので、その目的とするところは、気密性能を必要とするクリーンルーム等において、通常の出入りの際には開口面積を最小限にして空気の出入りや塵の侵入を抑え、必要に応じて欄間パネルを外すことで開口を容易に拡大することができ、着脱作業においても容易にできるとともに気密性能を維持することができ、欄間パネルが嵌められている状態において外力による脱落のおそれがない着脱式の欄間パネルを提供することにある。
【課題を解決するための手段】
【００１１】
上記課題を解決するべく本願の請求項１による欄間パネルは、開き戸と欄間パネルおよび開口枠で構成する開口において、
開口枠に開き戸および欄間パネルの縁部に当接するパッキンを設けるとともに欄間パネルを支える面には摺動抵抗の大きな軟質材を配設した係止金具を設け、該開口枠に嵌められる欄間パネルの左右上辺にカムラッチを設け、下辺に開き戸の上辺縁部と当接するパッキンを設けるとともに開き戸から突出するロッドを受けるロッド受を設けたことを特徴とするものである。
【００１２】
又、請求項２による欄間パネルは、請求項１記載の欄間パネルにおいて、左右辺の下方側面に係止部材を設け、開口枠に係止受部材を設けるとともに係止部材と係止受部材との当接面が係止受部材を中心をとする円弧とすることを特徴とするものである。
【発明の効果】
【００１３】
以上述べたように、請求項１に記載された着脱式欄間パネルによると、欄間パネルは開口枠のパッキンに当接し、開き戸は同様に開口枠に当接するとともに欄間パネルに当接して各パネルと、開口枠の目地はパッキンにより隙間なく当接されるため気密性能を保持することができるとともに、開き戸からハンドル操作により突出するロッドに対するロッド受も設けられているのでさらに気密性能を向上することができる。また、開口枠に摺動抵抗の大きな軟質材を配設した係止金具を設けて、欄間パネルにカムラッチを設けているので、欄間パネルの着脱作業が容易にできるとともに着脱時に係止金具へ積載する底面に傷を付けることなく、かつカムラッチ取付け面の反対方向からの力に対して滑り抵抗を発生させるので、カムラッチへの負担を軽減し脱落の心配がない。
【００１４】
又、請求項２記載の着脱式欄間パネルによると、上記係止部材と係止受部材との当接面が係止部受部材を中心をとする円弧とするので、取付けの際に欄間パネルを斜め上方より係止させ、起立することで定位置に収めることができ嵌めこみを容易にできる。さらにカムラッチ取付け面の反対方向より力が加わった場合においても円弧形状により容易に表面側へ外れないため、脱落の心配がない。
【図面の簡単な説明】
【００１５】
【図１】本願発明の第１実施の形態にかかる開口枠と開き戸、欄間パネルからなる開口の構成を示す正面図である。
【図２】図１における２−２断面図である。
【図３】図１におけるＡ部拡大断面図である。
【図４】欄間パネルにかかる力の模式図である。
【図５】図１における５−５断面図である。
【図６】本願発明の第２実施の形態にかかる本願発明の欄間パネル係止部構造を示しており、欄間パネルを配設する状態を示す図である。
【図７】本願発明の第２実施の形態にかかる本願発明の欄間パネル係止部構造を示しており、欄間パネルへの負荷が作用した状態を示す図である。
【発明を実施するための形態】
【００１６】
以下、図１乃至図７を参照して、本願発明の一実施の形態を説明する。
図1により開き戸４、７と欄間パネル１２で構成する開口には上、左右の３辺に開口枠１、２、３が設けられている。下辺には図示はしていないが、床面に接するパッキンが配設されている。
なお、図１で可視である面を表面、不可視となる面を裏面とし以下説明する。欄間パネル１２に上辺の略中央と左右辺の略中央に表面から操作できるカムラッチ１５、１６、１７を設け、これに相対する場所にはカムラッチ受１ａ、２ａ、３ａと、欄間パネルを支える係止金具２０が設けられている。
【００１７】
また、欄間パネル１２の正面側左右には着脱時のための持ち手１３、１４を設けている。
さらに、下辺の底面には開き戸４、７から突出するロッド６、９を受けるロッド受１８、１９が埋設されている。
【００１８】
開き戸４、７は本実施の形態において左右開きとしており、各開き戸は開口枠２、３に丁番２ｃ、３ｃで接続されており、正面視左側の開き戸７には閉状態を保持するための仏落８、１０を召し合せ辺の側面上下に設けている。また、正面視右側の開き戸４には、ハンドル５を廻すことでロッド６を上方に突出して開き戸４を強制的に裏面側へ押圧することができるグレモン装置を設けている。
【００１９】
図２及び図３に示すように、開口枠２、３には欄間パネル１２および開き戸４、７が閉じた際に接するパッキン２ｂ、３ｂを設けている。
開口枠２、３に設けた係止金具２０はＬ字状とし、開口枠２、３裏側にネジ穴２０ｂを施した金属板２ｄ、３ｄを配して、係止金具２０は開口枠２、３を挟みこむようにしてネジ２０ａで挟持して固定される。
係止金具２０は固定するネジ２０ｂを緩めることで、開口枠２に施した長穴２０ｃ内を金属板２ｄ、3ｄとともに上下に移動可能となり配設高さの調整することができる。
【００２０】
この係止金具２０は欄間パネル１２を積載する積載面２０ｃにゴム等の摺動抵抗が高い軟質材２０ｄが被覆されており、欄間パネル１２を積載させた際に滑りに対する抵抗を生むとともに、欄間パネル１２への傷を防ぐことができる。
また、係止金具２０を交換する際に金属板２ｄがずれ落ちないようにネジ２０ｅで開口枠２に固定されている。
【００２１】
図４は欄間パネル１２の配設状態に対して裏面から衝撃等の力が加えられた場合を示す模式図である。
嵌めこまれた欄間パネル１２に下辺裏面（開口枠のパッキン側）より衝撃等の力Ｆを受けた場合に、欄間パネルの上辺に設けたカムラッチ１５を支点Ｂにして欄間パネル１２の左右に設けたカムラッチ１６、１７を作用点Ｃとし、該作用点Ｃには力点Ａにかかる力Ｆに対して、Ｌ／Ｌ1の力ｆを受けるため、作用点Ｃとなるカムラッチ１６、１７の破損などによる脱落等も懸念されるが、欄間パネル１２と係止部材２０での摺動抵抗を大きくすることで力Ｆに対する反力を生み、作用点Ｃにかかる力ｆを軽減してカムラッチ受２ａ、３ａおよびカムラッチ１６、１７への負荷を少なくし、破損などによる脱落への懸念を軽減することができる。
【００２２】
図５に示すように、欄間パネル１２には下辺の裏面に召枠２２が設けられている。召枠２２は開口枠２、３の内側に収まるような長さを有し（図２参照）、召枠２２に差し込まれたパッキン２３は開口枠２、３に設けられたパッキン２ｂ、３ｂに重なるように基部を切除して召枠２２よりも延出して設けており、隙間を塞ぐ構成としている。
【００２３】
なお、開き戸４、７が閉じられた際には開き戸４、７の上辺が該パッキン２３に当接する。また、開き戸７の仏落とし８を操作してロッド９が開き戸７から突出し、欄間パネル１２に設けられているロッド受１９のローラー１９ａに押圧しながら入り込み、開き戸７は欄間パネル１２に設けたパッキン２３に押付けられる。
さらに、開き戸４のハンドル５を廻すことでロッド６が突出し、欄間パネル１２に設けられているロッド受１９のローラー１９ａに押圧しながら入り込み、開き戸４は欄間パネル１２に設けたパッキン２３に押付けられる。
【００２４】
次に第２実施形態として、図６に示すように開口枠２、３には円弧形状を有する板状の係止受部材２４を設け、欄間パネル１２には開口枠２、３に設けた係止受部材２４に沿う円弧形状を有する係止部材２５が設けられている。
【００２５】
欄間パネル１２は斜め上方から嵌めこまれ（図６のＡ）、係止部材２５が係止受部材２４に積接したあと、欄間パネル１２を起立させることにより開口枠２、３に設けられているパッキン２ｂ、３ｂに当接する（図６のＢ）。この際に欄間パネル１２に設けられたパッキン２３は係止受部材２４に接触することなく開口枠２、３のパッキン２ｂ、３ｂに当接するので捲れて、パッキン２ｂ、３ｂとの間に隙間を発生させることもない。
【００２６】
図４および図７のＡに示すように、係止部材２５係止受部材２４との係り深さｔ１を設けることで、直接的に水平方向への力を受けてカムラッチ１６、１７への力を軽減することができる。
また図7のＢに示すように、この水平方向への力が上方向への分力として作用したとしても係止部材の係り深さｔ１を開口枠１と欄間パネル１２の隙間ｔ２以上に設けることで、欄間パネル１２は上方へ移動するが、係止深さｔ１を超える前に欄間パネルが開口枠１に当接するため脱落へのおそれがない。
【００２７】
以上本実施の形態によると次のような効果を奏することができる。
まず、欄間パネル１２を開口枠２、３の係止金具２０に積載させて所定位置に配設し、カムラッチ１５、１６、１７により開口枠１、２、３のパッキン１ｂ、２ｂ、３ｂに押付けられ、開き戸４、７から突出するロッド６、９は欄間パネル１２の下辺に設けたロッド受１８、１９に押し込まれて、欄間パネル１２の下辺に設けたパッキン２３に押付けられるため、気密性能を保持することができる。
【００２８】
また、欄間パネルを支える係止金具２０の積載面２０ｃには摺動抵抗の大きな軟質材２０ｄを配設したので、裏面からの力Ｆが作用したとしても滑り抵抗から力Ｆを軽減し、カムラッチ１６、１７への負荷を軽くすることで該カムラッチ１６、１７の破損による脱落の心配もない。
【００２９】
又、欄間パネル１２の左右辺の下方側面に係止部材２５を設け、開口枠に係止受部材２４を設けるとともに係止部材２５と係止受部材２４との当接面２４ａ、２５ａが係止受部材２４を中心をとする円弧としたので欄間パネルを回動起立してパッキンに当接することができるので着脱が容易にできるとともに、裏面からの力が作用したとしても水平方向の力は垂直方向への分力として作用し欄間パネルが上方へ移動しても開口枠１に当接して係止部材２５は係止受部材２４を超えることができないとともにずカムラッチ１６、１７への負荷を軽くすることで欄間パネル１２が脱落することはない。
【００３０】
尚、本願発明は前記一実施の形態に限定されるものではない。
例えば、開き戸は片開きの１枚構成でもよい。
また、カムラッチについても、数量や配置位置は前記一実施の形態に限定されるものではない。
さらに、開き戸の上方に欄間パネルを１枚配置していたが、複数枚の欄間パネルを、ロッド受１８、１９を除いた同様な形態で連設させてもよい。
さらにまた、開口枠を上、左右の３辺で構成していたが、下辺を含めた４辺としてもよい。
【産業上の利用可能性】
【００３１】
本発明は、開き戸の上方に欄間パネルを配置する開口としており、充分な気密性能を有しながら必要に応じて開口の拡大を図ることができるように工夫したものに関し、例えば、クリーンルーム等で人の出入りだけでなく大型な機械等の搬入出が想定される構造物の扉に好適である。
【符号の説明】
【００３２】
１、２、３  開口枠
４  開き戸
７  開き戸
１２  欄間パネル
１５、１６、１７  カムラッチ
１８、１９  ロッド受
２０  係止金具
２２  召枠
２４  係止受部材
２５  係止部材
【図１】
2014025256.tif 000003
【図２】
2014025256.tif 000004
【図３】
2014025256.tif 000005
【図４】
2014025256.tif 000006
【図５】
2014025256.tif 000007
【図６】
2014025256.tif 000008
【図７】
2014025256.tif 000009